(57)【要約】【課題】ネットワーク接続が切断された場合において、電子機器が不正に使用されたり、データが盗難されることを適切に防止できるようにした電子機器を提供する。【解決手段】電子機器は、外部のネットワークとの通信が可能であり、ネットワークとの接続／切断状態を検出するLANコントローラ１４と、LANコントローラ１４においてネットワークとの切断が検出された場合に、当該電子機器に対してユーザ操作をできなくする操作不能化処理を実行するCPLD１６とを備える。この構成により、電子機器は、ネットワーク接続が切断された場合において、電子機器の不正使用や、データ盗難を適切に防止できる。【選択図】図２
2015005904.tif 000002
【特許請求の範囲】
【請求項１】
外部のネットワークとの通信が可能な電子機器であって、
ネットワークとの接続／切断状態を検出する接続状態検出部と、
前記接続状態検出部においてネットワークとの切断が検出された場合に、当該電子機器に対してユーザ操作をできなくする操作不能化処理を実行する操作不能化制御部と、を備えることを特徴とする電子機器。
【請求項２】
前記操作不能化制御部における操作不能化処理は、前記電子機器に備わる表示部を消灯状態にする処理である、ことを特徴とする請求項１記載の電子機器。
【請求項３】
前記電子機器は、さらに、
ユーザからの操作を受け付ける操作入力部と、
前記操作入力部への電源入力のオン／オフを切り替えるスイッチ部を備え、
前記操作不能化制御部における操作不能化処理は、前記スイッチ部をオフにして前記操作入力部に対する電源供給を遮断する処理である、ことを特徴とする請求項１記載の電子機器。
【請求項４】
前記操作入力部は、キーボード及びマウスである、ことを特徴とする請求項３記載の電子機器。
【請求項５】
前記操作不能化制御部は、前記操作不能化処理の後に、又は前記操作不能化処理と並行して前記電子機器のシャットオフ処理を実行する、ことを特徴とする請求項１乃至４のいずれか一項に記載の電子機器。
【請求項６】
前記操作不能化制御部は、前記接続状態検出部においてネットワークとの切断が検出された場合、動作中のデータを暗号化し、前記電子機器に備わる記憶部に記憶する、ことを特徴とする請求項１乃至５のいずれか一項に記載の電子機器。
【請求項７】
前記請求項１乃至請求項６のいずれか一項に記載の電子機器を備える、ことを特徴とする画像形成装置。
【請求項８】
外部のネットワークとの通信が可能な電子機器に用いられるプログラムであって、
ネットワークとの接続／切断状態を検出する接続状態検出ステップと、
前記接続状態検出ステップにおいてネットワークとの切断が検出された場合に、当該電子機器に対してユーザ操作をできなくする操作不能化処理を実行する操作不能化制御ステップとを含む、ことを特徴とするプログラム。
【請求項９】
前記操作不能化制御ステップにおける操作不能化処理は、前記電子機器に備わる表示部を消灯状態にする処理である、ことを特徴とする請求項８記載のプログラム。
【請求項１０】
前記電子機器は、ユーザからの操作を受け付ける操作入力部と、前記操作入力部への電源入力のオン／オフを切り替えるスイッチ部を備え、
前記操作不能化制御ステップにおける操作不能化処理は、前記スイッチ部をオフにして前記操作入力部に対する電源供給を遮断する処理である、ことを特徴とする請求項８記載のプログラム。
【請求項１１】
前記操作不能化制御ステップにおいては、前記操作不能化処理の後に、又は前記操作不能化処理と並行して前記電子機器のシャットオフ処理を実行する、ことを特徴とする請求項８乃至１０のいずれか一項に記載のプログラム。
【請求項１２】
前記操作不能化制御ステップにおいては、前記接続状態検出ステップにおいてネットワークとの切断が検出された場合、動作中のデータを暗号化し、前記電子機器に備わる記憶部に記憶する、ことを特徴とする請求項８乃至１１のいずれか一項に記載のプログラム。
【発明の詳細な説明】
【技術分野】
【０００１】
本発明は、外部と有線／無線を介したネットワーク通信が可能である電子機器、及び当該電子機器を用いる画像形成装置、並びに電子機器に用いられるプログラムに関する。
【背景技術】
【０００２】
従来より、図書館など公共の場所に設置された電子機器から悪意ある第三者がデータを盗難することを防止するため、OS又はデータを格納するストレージを暗号化するなどの様々な対策が行われている。また、電子機器の動作中に不正なネットワーク切断が発生した場合、自動シャットオフを実行することも知られている。
【０００３】
例えば、特許文献１に示される電力線通信端末においては、電力線通信ネットワークとの接続切断状態を検出し、接続の切断状態が検出された場合には内部回路を休止状態または電源オフ（シャットオフ）状態に遷移する。
【０００４】
また、特許文献２に示される通信端末装置においては、そのプロセッサが複数の通信Ｉ/Ｆの状態を監視する。そして、LANに接続された通信Ｉ/Ｆのリンクが検出されない場合、電源制御部を制御して自己装置内のRAM、フラッシュメモリ及び電力線通信を行う通信Ｉ/Ｆへの電力供給を停止させて、システムの電源を停止する。
【先行技術文献】
【特許文献】
【０００５】
【特許文献１】特開２００７−３３６１７４号公報
【特許文献２】特開２００８−２６３２９４号公報
【発明の概要】
【発明が解決しようとする課題】
【０００６】
しかしながら、上記従来の電子機器においては、シャットオフ動作を開始してからその動作を完了させるまでには、数十秒から数分程度の時間を要する。これは、瞬時的にシャットオフさせてしまうと、作業中のファイルが破壊される可能性があり、また電子機器の動作中であれば再電源投入処理時の初期設定値が破壊される可能性があり、順を追ったシャットオフ処理が必要となる為である。なお、この順を追ったシャットオフとは、例えば作業中のファイルの保存や、電子機器が再電源投入処理中に必要な初期設定値のバックアップ処理を実施した後に電源をオフすることである。
【０００７】
従って、公共の場所などに設置された電子機器においては、悪意ある第三者がネットワークを切断して、その自動シャットオフ処理中にシャットオフ処理を故意に停止して、ファイルの読み出し（盗難）などの不正使用がなされる虞がある。
【０００８】
また、シャットオフ処理の中断による電子機器の不正使用が可能になると、電子機器自体が盗難されて、結果的にHDD内データの読み出し（盗難）へと至ってしまうという虞もある。
【０００９】
本発明は、上記課題に鑑みてなされたものであり、ネットワーク接続が切断された場合において、電子機器が不正に使用されたり、データが盗難されることを適切に防止できるようにした電子機器及びこれを用いた画像形成装置、並びに電子機器に用いられるプログラムを提供することを目的とする。
【課題を解決するための手段】
【００１０】
上記目的を達成するために本発明は、外部のネットワークとの通信が可能な電子機器であって、ネットワークとの接続／切断状態を検出する接続状態検出部と、前記接続状態検出部においてネットワークとの切断が検出された場合に、当該電子機器に対してユーザ操作をできなくする操作不能化処理を実行する操作不能化制御部と、を備えることを特徴とするものである。
【００１１】
この電子機器において、前記操作不能化制御部における操作不能化処理は、前記電子機器に備わる表示部を消灯状態にする処理であることが好ましい。  
【００１２】
この電子機器において、前記電子機器は、さらに、ユーザからの操作を受け付ける操作入力部と、前記操作入力部への電源入力のオン／オフを切り替えるスイッチ部を備え、前記操作不能化制御部における操作不能化処理は、前記スイッチ部をオフにして前記操作入力部に対する電源供給を遮断する処理であることが好ましい。  
【００１３】
この電子機器において、前記操作入力部は、キーボード及びマウスであることが好ましい。  
【００１４】
この電子機器において、前記操作不能化制御部は、前記操作不能化処理の後に、又は前記操作不能化処理と並行して前記電子機器のシャットオフ処理を実行することが好ましい。  
【００１５】
この電子機器において、前記操作不能化制御部は、前記接続状態検出部においてネットワークとの切断が検出された場合、動作中のデータを暗号化し、前記電子機器に備わる記憶部に記憶することが好ましい。  
【００１６】
また、本発明に係る画像形成装置は、上記記載の電子機器を備えることを特徴とするものである。
【００１７】
また、本発明は、外部のネットワークとの通信が可能な電子機器に用いられるプログラムであって、ネットワークとの接続／切断状態を検出する接続状態検出ステップと、前記接続状態検出ステップにおいてネットワークとの切断が検出された場合に、当該電子機器に対してユーザ操作をできなくする操作不能化処理を実行する操作不能化制御ステップとを含むことを特徴とするものである。
【００１８】
このプログラムにおいて、前記操作不能化制御ステップにおける操作不能化処理は、前記電子機器に備わる表示部を消灯状態にする処理であることが好ましい。  
【００１９】
このプログラムにおいて、前記電子機器は、ユーザからの操作を受け付ける操作入力部と、前記操作入力部への電源入力のオン／オフを切り替えるスイッチ部を備え、前記操作不能化制御ステップにおける操作不能化処理は、前記スイッチ部をオフにして前記操作入力部に対する電源供給を遮断する処理であることが好ましい。  
【００２０】
このプログラムにおいて、前記操作不能化制御ステップにおいては、前記操作不能化処理の後に、又は前記操作不能化処理と並行して前記電子機器のシャットオフ処理を実行することが好ましい。  
【００２１】
このプログラムにおいて、前記操作不能化制御ステップにおいては、前記接続状態検出ステップにおいてネットワークとの切断が検出された場合、動作中のデータを暗号化し、前記電子機器に備わる記憶部に記憶することが好ましい。
【発明の効果】
【００２２】
本発明によれば、接続状態検出部においてネットワークとの接続／切断を検出し、ネットワーク切断が検出されると、操作不能化制御部が当該電子機器に対するユーザ操作入力を不能化する。このため、ネットワーク接続が切断された場合において、電子機器の不正使用や、データ盗難を適切に防止できる。
【図面の簡単な説明】
【００２３】
【図１】本発明の実施の形態１に係る複合機の機能ブロック図である。
【図２】前記複合機に備わる制御部の構成図である。
【図３】当該制御部の動作手順を示すフローチャートである。
【図４】本発明の実施の形態２に係る複合機に備わる制御部の機能構成図である。
【図５】当該制御部の動作手順を示すフローチャートである。
【発明を実施するための形態】
【００２４】
（実施の形態１）
本発明の実施の形態１に係る電子機器について図面を参照して説明する。本実施の形態１の説明において、電子機器を、多機能を有し、公共の場所などに設けられた複合機を適用した場合を例として説明する。なお、電子機器は複合機１に限定されるものではなく、外部ネットワークと有線／無線を介して通信可能なパーソナルコンピュータ、タブレット端末、スマートフォンなどにも適用可能である。
【００２５】
複合機１は、画像入力部２と、画像処理部３と、画像出力部４と、送受信部５と、操作入力部６と、液晶表示部７と、記憶部８と、制御部９とを備える。この複合機１は、例えば、複写機、プリンタ、イメージスキャナ、ファクシミリなどの機能が一つにまとめられたMFP(Multi Function Peripheral)と呼ばれる電子機器である。
【００２６】
画像入力部２は、読み取り用の原稿に光を照射する光源、CCD（Charged Coupled Device）のようなイメージセンサなどを有し、原稿の画像データの光学的読み取りを行う。また、画像入力部２では、所定の読取り位置に載置された原稿からの反射光像を当該イメージセンサに結像させ、RGBのアナログデータを画像処理部３に出力する。
【００２７】
画像処理部３は、画像入力部２から入力されるアナログデータを用いてデジタル形式の画像データを生成し、又は記憶部８に記憶されている画像データを読み出し、それぞれの画像の種類に応じた処理を施した後、出力（印刷）すべき画像データを生成する。画像処理部３によって生成された出力用画像データは、画像出力部４に出力される。
【００２８】
画像出力部４は、画像処理部３から出力される画像データに基づく画像を記録用紙などの記録媒体上に印刷する。画像出力部４は、感光体ドラム、感光体ドラムを所定電位に帯電させる帯電器、外部から受け付けた画像データに応じてレーザ光を発して感光体ドラム上に静電潜像を生成させるレーザ書込装置、感光体ドラム表面に形成された静電潜像にトナーを供給して現像化する現像器、感光体ドラム表面に形成されたトナー像を記録媒体上に転写する転写器などを備えている。そして、例えば、電子写真方式にて画像を記録媒体上に出力する。
【００２９】
送受信部５は、外部に原稿のデータを送信するネットワークカード、モデム、RJ４５コネクタなどを備えている。また、送受信部５は、例えば、RJ４５コネクタを介して外部からパケットデータ信号を受信する。
【００３０】
操作入力部６は、ユーザ操作を受け付ける入力部であり、本実施の形態１においては、複合機１における各種機能を切り替える機能ボタン、テンキー、スタートキー、キャンセルキー、受け付けた指示確定のためのエンターキー、画像入力部２を介して読み取った原稿の画像をシート状の記録媒体上に画像形成するための出力キー又はコピーキーである。
【００３１】
液晶表示部７は、バックライトにLEDや蛍光管などを用いて画面を発光させたLCD（Liquid Crystal Display）であり、液晶表示部７の内部のバックライトは後述する制御部９内のCPUによって制御される。また、液晶表示部７は、複合機１の状態、ジョブ処理の状況、画像入力部２が読み取った原稿の画像及び操作入力部６の操作内容の確認など、利用者に対して報知すべき情報を表示する。なお、本実施の形態１の説明では表示部を液晶表示部７として説明するが、自発光素子を用いたEL（Electroluminescence）パネルなど他の表示部を用いても構わない。
【００３２】
記憶部８は、例えば、フラッシュメモリ、EEPROM（登録商標）、HDD、MRAM（磁気抵抗メモリ）、Fe RAM（強誘電体メモリ）、又はOUMなどの不揮発性の記憶媒体により構成される。
【００３３】
制御部９は、外部ネットワークとの接続／切断の通信状態を検出し、ネットワーク切断が切断された場合に行う自動シャットオフを制御するために上記各ハードウェアの制御を行う。
【００３４】
次に、本実施の形態１に係る複合機１に備わる制御部９の動作に関して図２を参照して説明する。制御部９は、CPU１０と、ROM１１と、HDD１２と、DRAM１３と、LANコントローラ（接続状態検出部）１４と、ＲＪ４５コネクタ１５と、CPLD（操作不能化制御部）１６と、Chipset１７とを備えている。
【００３５】
CPU１０は、ROM１１やHDD１２に予め格納されている制御プログラムをDRAM１３上にロードして実行することによって、上述した各種ハードウェアの制御を行い、複合機１を動作させる。CPU１０は、液晶表示部７に表示データを送信するLCD IF１０ａ、及び液晶表示部７内部のバックライトをオン／オフ制御するBackLight Control Signal１０ｂを備える。また、Chipset１７との送受信を行うインターフェースであるCPU IF１０ｃと、DRAM１３に対するインターフェースであるMemory IF１０ｄとを備え、Chipset１７から所定の信号（バックライトのオフやシャットオフの制御信号）を受信した場合、各ハードウェアの起動を制御する。
【００３６】
ROM１１には制御部９のブートプログラムが格納され、HDD１２には、各種の制御プログラム、演算用のパラメータのうちの基本的に固定のデータなどが予め格納されている。HDD１２は、ROM１１が必要な容量を備えていれば不要であり、またHDD１２の代わりにＳＤカードやコンパクトフラッシュ（登録商標）等でも代用可能である。
【００３７】
DRAM１３はデータを一時的に記憶し、記憶順、記憶位置などに関係なく読み出すことが可能である。また、DRAM１３は、例えば、ROM１１やHDD１２から読み出されたプログラムと、当該プログラムを実行することにより発生する各種データ、当該実行の際適宜変化するパラメータなどを記憶する。
【００３８】
LANコントローラ１４は、外部のネットワークとの接続／切断状態を検出する接続状態検出部として機能し、RJ４５コネクタ１５に接続されている通信回線を介して外部から送信されてくる信号を受信する。RJ４５コネクタ１５は、例えばLAN JACKであり、ＰＣやクラウドなどの外部ネットワークからの信号を常時受信している。LANコントローラ１４は、RJ４５コネクタ１５からの信号を受信し、またRJ４５コネクタ１５に信号を送信するポート１４ａと、Chipset１７との信号の送受信を行うI/Oインターフェース１４ｂと、CPLD１６に所定の信号を送信するLINK Detect端子１４ｃとを備えている。
【００３９】
ポート１４ａは、例えば、複数の端子を有するMDI(Medium Dependent Interface)であり、一部の端子は送信用に、他の端子は受信用に割り当てられている。また、Ｉ／Ｏインターフェース１４ｂは、例えば、PCI-Expressのようなシリアルインターフェースである。
【００４０】
LANコントローラ１４は、特定の条件の下、ポート１４ａが受信する外部からの受信信号を監視し、特定の信号を受信したか否かを判定することでネットワークとの接続／切断の状態を検出する。LINK Detect端子１４ｃは、RJ４５コネクタ１５がネットワークとの接続時にはLowレベル、ネットワーク切断時にはHighレベルとなる信号をCPLD１６のGPI（A）端子１６ａに出力して通知する（図２のＧ参照）。
【００４１】
CPLD（Complex Programmable Logic Device）１６は、ネットワークとの接続状態に基づいて液晶表示部７の点灯をオン／オフを制御してユーザからの操作入力を不能化する操作不能化制御部として機能する。また、この操作不能化処理の後／又はこれと並行して複合機１のシャットオフ処理を実行する。CPLD１６は、LANコントローラ１４のLINK Detect端子１４ｃからの信号が入力されるGPI（A）端子１６ａ（汎用制御入力）と、Chipset１７のGPI(D)端子１７ａ（汎用制御入力）と接続しておりネットワーク接続状態に関する信号を出力するGPO（C）端子１６ｂと、Chipset１７のPower Button１７ｂと接続しており電源オフに関する信号を出力するGPO（B）端子１６ｃとを備えている。
【００４２】
CPLD１６の内部では、GPI（A）端子１６ａと、Chipset１７に所定の信号を出力するGPO（B）端子１６ｃ及びGPO（C）端子１６ｂとが接続されている。GPI（A）端子１６ａとGPO（C）端子１６ｂはそのまま接続される。そして、GPO（C）端子１６ｂは、ネットワークとの接続時にはLowレベル、ネットワーク切断時にはHighレベルとなる信号をChipset１７のGPI（D）端子１７ａに出力して外部のネットワークとの接続／切断状態を通知する（図２のＨ参照）。また、GPO（B）端子１６ｃは、GPI（A）端子１６ａからの信号の立ち上がりエッジを検知して、検知される場合にはLow PulseをChipset１７のPower Button１７ｂに出力する端子となっている（図２のＩ参照）。
【００４３】
Chipset１７は、例えば、South-Bridgeであり、CPLD１６のGPO（C）端子１６ｂからの信号を受信する受信端子GPI（D）端子１７ａと、GPO（B）端子１６ｃからの信号を受信する受信端子であるPower Button１７ｂと、CPU１０と送受信を行うDMI（Direct Media Interface）などのCPU IF１７ｃとを備える。
【００４４】
次に、複合機１に備わる制御部９の動作手順に関して図３を参照して説明する。最初に、複合機１の電源がオンされており、ネットワーク通信が接続されている状態から説明する。LANコントローラ１４は、RJ４５コネクタ１５から受信した信号に基づきネットワークが切断されたかどうかの通信状態を検出している（Ｓ３１）。そして、ネットワーク切断が検出された場合（Ｓ３１でＹｅｓ）、LANコントローラ１４のLINK Detect端子１４ｃからCPLD１６のGPI（A）端子１６ａに送信されるLINK Detect信号が変化する（Ｓ３２）。この場合、ネットワーク通信時、Lowレベルであった信号が、Highレベルへと変化する。
【００４５】
次に、CPLD１６がLINK Detect信号の変化を検知すると（Ｓ３３）、まずはCPLD１６がChipset１７のGPI(D)端子１７ａにGPO（C）端子１６ｂを介してネットワーク切断通知を伝える（Ｓ３４）。本実施の形態１の場合は、LINK Detect端子１４ｃから出力される信号の変化（すなわちLowレベルからHighレベルへの変化）がそのまま通知される。
【００４６】
そして、Chipset１７からCPU１０にネットワーク切断の通知が伝えられ、CPU１０は液晶表示部７に対して、複合機１のユーザ操作を不可能にする操作不能化処理として、バックライトオフを指示する（Ｓ３５）。具体的には、Chipset１７からバックライトオフの指令を受けたCPU１０のBacklight Control Signal１０ｂから、液晶表示部７のBacklight Controller７ａにオフ通知のBacklight Control信号が送信される。液晶表示部７の内部のバックライトは、その通知に基づいてバックライトをオフする処理を行い（Ｓ３６）、バックライトオフ処理を終了する。なお、このバックライトオフ処理は数秒で完了する。
【００４７】
その後、CPLD１６はChipset１７にシャットオフ指示を行う（Ｓ３７）。具体的には、CPLD１６の内部回路によってLINK Detectの信号変化（LowレベルからHighレベル）を検知して、GPO（B）端子１６ｃを通じてLow PulseをPower  Button１７ｂに出力して、Chipset１７へ通知する。CPU１０は、Chipset１７から当該通知を受けてシャットオフ処理を行う（Ｓ３８）。なお、このシャットオフ処理は数十秒から数分間で完了する。なお、本図の説明においては、バックライトオフ処理（Ｓ３５，Ｓ３６）の後にシャットオフ指示（Ｓ３７）を行うものとして説明したが、このシャットオフ指示（Ｓ３７）は、バックライトオフ処理（Ｓ３５，Ｓ３６）と並行して行うこともできる。
【００４８】
以上のように、本実施の形態１に係る複合機１（電子機器）では、ネットワーク切断を検出した際に、単に複合機１をシャットオフするのではなく、ユーザからの操作不能化処理として複合機１の液晶表示部７を消灯状態にする。そして、その後／又はこれと並行して複合機１のシャットオフ処理を実行する。このため、複合機１のネットワーク接続が切断された場合において、液晶表示部７を用いた電子機器に対するユーザ操作をできなくし、電子機器が不正に使用されたり、データが盗難されることを有効に防止できる。
【００４９】
（変形例）
本実施の形態１に係る電子機器の変形例について説明する。本変形例では、電子機器の制御部９に備わるCPU１０は、LANコントローラ１４においてネットワーク切断状態が検知されると、動作中のデータを暗号化してHDD１２に自動保存する処理を行う。従って、本変形例では、盗難などされた電子機器が返却された場合、正規ユーザは暗号化された動作中のデータを安全に再取得でき、情報流出を有効に防ぐことができる。
【００５０】
（実施の形態２）
本発明の実施の形態２に係る電子機器について、図４及び図５を参照して説明する。なお、上記実施の形態１と同様の構成には同一の符号を付し、その詳細な説明は省略する（以下同じ）。
【００５１】
本実施の形態２においては、電子機器としてパーソナルコンピュータを想定し、操作入力部は、図４に示すように、ユーザ操作を受け付けるためのキーボード６ａとマウス６ｂとなる。Chipset１７は、電子機器を外部から操作する際に用いるキーボード６ａ、マウス６ｂなどを接続できるように２つのUSB（Universal Serial Bus） port１７ｄ，１７ｅを備える。USB port１７ｄ，１７ｅの先にはUSB Type A コネクタ１８ａ，１８ｂがあり、当該コネクタ１８ａ，１８ｂを通じてキーボード６ａ、マウス６ｂなどのUSBデバイスを接続する。
【００５２】
USB Type A コネクタ１８ａ，１８ｂには５Ｖ電源が供給されており、外部に接続されるUSBデバイスへ電源を供給する。また、制御部９は、USB Type A コネクタ１８ａ，１８ｂに供給する５Ｖ電源のオン／オフを制御するスイッチ部１９ａ，１９ｂをも備える。電子機器に備わる制御部９は、これらスイッチ部１９ａ，１９ｂにより、USB Type A コネクタ１８ａ，１８ｂに接続されたキーボード６ａ及びマウス６ｂに供給する５Ｖ電源のオン／オフを、LANコントローラ１４が検出したネットワークとの接続／切断状態に基づいて切り替える。
【００５３】
Chipset１７は、５Ｖ電源のオン／オフ制御をするスイッチ部１９ａ，１９ｂに対してオン／オフを制御するための信号を出力するGPO（E）端子１７ｆ、GPO（F）端子１７ｇを備えている。
【００５４】
USB Type Aコネクタ１８ａ，１８ｂには、通常は５Ｖ電源が供給されているが、Chipset１７のGPO（E）端子１７ｆ、GPO（F）端子１７ｇにより、スイッチ部１９ａ，１９ｂを通じてオン／オフの制御がなされる。これらGPO（E）端子１７ｆ、GPO（F）端子１７ｇは、CPLD１６からGPO（C）端子１６ｂを通じて信号を受信する受信端子GPI（D）１７ａとそのまま接続されている。すなわち、ネットワーク接続時はLow レベルを、切断時はHighレベルをスイッチ部１９ａ，１９ｂに対して出力する（図４中のＪ参照）。
【００５５】
Switch１９ａ，１９ｂは、USB Type Aコネクタ１８ａ，１８ｂへの電源供給を制御する。制御信号はそれぞれ、Chipset１７からGPO（E）端子１７ｆ、GPO（F）端子１７ｇを通じて出力される。GPO（E）端子１７ｆ、GPO（F）端子１７ｇのそれぞれから出力される信号がLowレベルであればネットワーク接続時となり、５Ｖの電源供給を行う。一方、Highレベルであればネットワーク切断時となり、５Ｖの電源供給を停止させる。このように、外部に接続されるキーボード６ａ、マウス６ｂなどのUSBデバイスを動作させるか、停止させるかは、５Ｖの供給・停止に依るものとなる。なお、図４中のＧ，Ｈ，Ｊにおいては、ネットワーク切断時のトリガ信号をLow レベルからHighレベルとして説明したが、ネットワーク切断時にHighレベルからLow レベルに変化する回路構成としても構わない。
【００５６】
次に、本実施の形態２に係る電子機器に備わる制御部の動作手順に関して図５を参照して説明する。なお、本図において、Ｓ３４までの動作手順は上記実施の形態１の図３における説明と同様であるためその説明は省略する。
【００５７】
Ｓ３４においてCPLD１６がChipset１７のGPI(D)端子１７ａにGPO（C）端子１６ｂを介してネットワーク切断通知を伝える。すると、信号の変化（すなわち、LowレベルからHighレベルへの変化）がそのままGPI(D)端子１７ａからGPO（E）端子１７ｆ、GPO（F）端子１７ｇに通知される。その後、Chipset１７のGPO（E）端子１７ｆからスイッチ部１９ａ、GPO（F）端子１７ｇからスイッチ部１９ｂに信号の変化が送信されてスイッチ部１９ａ，１９ｂがオフとなり、USBデバイスであるキーボード６ａ及びマウス６ｂへの５Ｖ電源が遮断される（Ｓ５１）。その後、CPLD１６はChipset１７にシャットオフ指示を行い、電子機器のシャットオフが完了する（Ｓ３７，Ｓ３８）。なお、上記実施の形態１と同様に、この電源遮断処理（Ｓ５１）と並行して、電子機器のシャットオフ処理（Ｓ３７，Ｓ３８）を行うこともできる。
【００５８】
以上の説明のように、本実施の形態２に係る電子機器では、ネットワーク切断を検出した際に、単に電子機器をシャットオフするのではなく、操作不能化処理として操作入力部であるキーボード６ａ、マウス６ｂへの電源供給を遮断する。その後／又はこれと並行して電子機器のシャットオフ処理を実行する。このため、電子機器のネットワーク接続が切断された場合において、キーボード６ａやマウス６ｂなどの操作入力部を介した電子機器に対する操作ができなくなり、その結果、電子機器の不正使用やデータ盗難を有効に防止できる。
【００５９】
なお、本発明は、上記実施の形態の構成に限られず、発明の趣旨を変更しない範囲で種々の変形が可能である。また、本発明の目的を達成するために、本発明は、電子機器に含まれる特徴的な構成手段をステップとする方法としたり、それらの特徴的なステップを含むプログラムとして実現することもできる。そして、そのプログラムは、ROM等に格納しておくだけでなく、USBメモリ等の記録媒体や通信ネットワークを介して流通させることもできる。
【符号の説明】
【００６０】
１  複合機（電子機器）
６  操作入力部
６ａ  キーボード
６ｂ  マウス
７  液晶表示部（表示部）
８  記憶部
９  制御部
１０  ＣＰＵ
１４  LANコントローラ（接続状態検出部）
１６  CPLD（操作不能化制御部）
１９ａ，１９ｂ  スイッチ部
【図１】
2015005904.tif 000003
【図２】
2015005904.tif 000004
【図３】
2015005904.tif 000005
【図４】
2015005904.tif 000006
【図５】
2015005904.tif 000007